(57)【特許請求の範囲】
【請求項１】
データ収集局が、複数の観測局から１以上の周波数チャネルによりデータ収集を行うシステムであって、
データ収集局は、
各観測局から定期的に受信する定期データについて、各観測局の定期データ送信時刻及びそのときに使用する周波数チャネルについての情報である定期スケジュールを保存する手段と、
定期スケジュールを各観測局に通知する手段と、
を有し、
観測局は、
通知された定期スケジュールに基づき定期データを送信する手段と、
定期データ以外の不定期データが発生した場合は、通知された定期スケジュールから判定できる、周波数チャネルの空き時間を使用して不定期データを送信する手段と、
を有することを特徴とするシステム。
【請求項２】
データ収集局が、複数の観測局から１以上の周波数チャネルによりデータ収集を行うシステムであって、
データ収集局は、
各観測局から定期的に受信する定期データについて、各観測局の定期データ送信時刻及びそのときに使用する周波数チャネルについての情報である定期スケジュールを保存する手段と、
定期スケジュールを各観測局に通知する手段と、
定期スケジュールから、各周波数チャネルの空き時間の情報である空きスケジュールを求め、空きスケジュールを各観測局に通知する手段と、
を有し、
観測局は、
通知された定期スケジュールに基づき定期データを送信する手段と、
定期データ以外の不定期データが発生した場合は、通知された空きスケジュールに基づき、周波数チャネルの空き時間を使用して不定期データを送信する手段と、
を有することを特徴とするシステム。
【請求項３】
データ収集局は、空きスケジュールの通知を、通知の時点で空いている周波数チャネルを指定する空き周波数通知信号の送信により行うことを特徴とする請求項２に記載のシステム。
【請求項４】
データ収集局は、観測局を１以上の観測局からなるグループに分け、グループに通知する空きスケジュールを、定期スケジュールから求めた空きスケジュールの全部又は一部に、グループに応じて変更することを特徴とする請求項２又は３に記載のシステム。
【請求項５】
データ収集局は、前記定期スケジュールの通知を、定期データ送信時刻毎に、その時刻で定期データを送信する観測局及びその観測局が使用する周波数チャネルを指定する送信周波数割当信号の送信により行うことを特徴とする請求項１から４のいずれか１項に記載のシステム。
【請求項６】
各観測局から定期的に受信する定期データの、各観測局での送信時刻及びそのときに使用する周波数チャネルについての情報である定期スケジュールを有するデータ収集局が、複数の観測局から１以上の周波数チャネルにより定期データ及び定期データ以外の不定期データを収集する方法であって、
データ収集局が、定期スケジュールを各観測局に通知するステップと、
観測局が、通知された定期スケジュールに基づき定期データを送信するステップと、
を有し、
観測局において不定期データが発生した場合に、観測局は、通知された定期スケジュールから判定できる、周波数チャネルの空き時間を使用して不定期データを送信することを特徴とする方法。
【請求項７】
各観測局から定期的に受信する定期データの、各観測局での送信時刻及びそのときに使用する周波数チャネルについての情報である定期スケジュールを有するデータ収集局が、複数の観測局から１以上の周波数チャネルにより定期データ及び定期データ以外の不定期データを収集する方法であって、
データ収集局が、定期スケジュールを各観測局に通知するステップと、
データ収集局が、定期スケジュールに基づき、各周波数チャネルの空き時間の情報である空きスケジュールを各観測局に通知するステップと、
観測局が、通知された定期スケジュールに基づき定期データを送信するステップと、
を有し、
観測局において不定期データが発生した場合に、観測局は、通知された空きスケジュールに基づき、周波数チャネルの空き時間を使用して不定期データを送信することを特徴とする方法。
【請求項８】
データ収集局は、空きスケジュールの通知を、通知の時点で空いている周波数チャネルを指定する空き周波数通知信号の送信により行うことを特徴とする請求項７に記載の方法。
【請求項９】
データ収集局は、観測局を１以上の観測局からなるグループに分け、グループに通知する空きスケジュールを、定期スケジュールから求めた空きスケジュールの全部又は一部に、グループに応じて変更することを特徴とする請求項７又は８に記載の方法。
【請求項１０】
データ収集局は、定期スケジュールの通知を、定期データ送信時刻毎に、その時刻で定期データを送信する観測局及びその観測局が使用する周波数チャネルを指定する送信周波数割当信号の送信により行うことを特徴とする請求項６から９のいずれか１項に記載の方法。
【発明の詳細な説明】
【技術分野】
【０００１】
本発明は、無線により多数の観測局からデータ収集を行うシステム及び方法に関する。
【背景技術】
【０００２】
環境測定等を目的として、地理的に広範囲に設置された多数の観測局から、無線によりデータ収集を行うシステムでは、観測局が観測し、データ収集局に定期的に送信する定期データと、何らかの異常を通知するデータ、緊急に通知すべきデータ又は送信失敗時における再送データ等、観測局がデータ収集局に不定期に送信する不定期データとが混在する。
【０００３】
不定期データの送信方法として、データ長が短い場合にはランダムアクセス方式が適しており、純アロハ方式や、スロット付きアロハ方式等が良く知られている。しからこれら方式は、通常、１つの周波数チャネルを共有するため、２局以上の観測局が同時にデータを送信したときには、衝突によりデータ損失が発生し、その発生確率は、送信データ量の増大に応じて上昇する。
【０００４】
衝突確率を低減するために、例えば、特許文献１には、複数の周波数チャネルと複数の時間スロットの中から、使用する周波数チャネルと時間スロットを選択してデータを送信する構成が開示されている。
【０００５】
【特許文献１】特許第２５０４４５７号明細書
【発明の開示】
【発明が解決しようとする課題】
【０００６】
特許文献１に記載の構成は、複数の周波数チャネルをランダムアクセス用のチャネルに占有させるため、この構成をデータ収集システムに適用した場合、定期データのための周波数チャネルに加え、不定期データのためのランダムアクセス用周波数チャネルが必要となり、確保すべき周波数チャネル数が増大するという問題がある。
【０００７】
従って、本発明は、定期データと、不定期データが混在する環境においても、必要とする周波数チャネル数を抑え、かつ、不定期データについては、衝突によるデータ損失を抑えることが可能なデータ収集システム及び方法を提供することを目的とする。
【課題を解決するための手段】
【０００８】
本発明におけるシステムによれば、
データ収集局が、複数の観測局から１以上の周波数チャネルによりデータ収集を行うシステムであって、データ収集局は、各観測局から定期的に受信する定期データについて、各観測局の定期データ送信時刻及びそのときに使用する周波数チャネルについての情報である定期スケジュールを保存する手段と、定期スケジュールを各観測局に通知する手段とを有し、観測局は、通知された定期スケジュールに基づき定期データを送信する手段と、定期データ以外の不定期データが発生した場合は、通知された定期スケジュールから判定できる、周波数チャネルの空き時間を使用して不定期データを送信する手段とを有することを特徴とする。
【０００９】
本発明のシステムにおける他の実施形態によれば、
データ収集局が、複数の観測局から１以上の周波数チャネルによりデータ収集を行うシステムであって、データ収集局は、各観測局から定期的に受信する定期データについて、各観測局の定期データ送信時刻及びそのときに使用する周波数チャネルについての情報である定期スケジュールを保存する手段と、定期スケジュールを各観測局に通知する手段と、定期スケジュールから、各周波数チャネルの空き時間の情報である空きスケジュールを求め、空きスケジュールを各観測局に通知する手段とを有し、観測局は、通知された定期スケジュールに基づき定期データを送信する手段と、定期データ以外の不定期データが発生した場合は、通知された空きスケジュールに基づき、周波数チャネルの空き時間を使用して不定期データを送信する手段とを有することを特徴とする。
【００１０】
本発明における方法によれば、
各観測局から定期的に受信する定期データの、各観測局での送信時刻及びそのときに使用する周波数チャネルについての情報である定期スケジュールを有するデータ収集局が、複数の観測局から１以上の周波数チャネルにより定期データ及び定期データ以外の不定期データを収集する方法であって、データ収集局が、定期スケジュールを各観測局に通知するステップと、観測局が、通知された定期スケジュールに基づき定期データを送信するステップとを有し、観測局において不定期データが発生した場合に、観測局は、通知された定期スケジュールから判定できる、周波数チャネルの空き時間を使用して不定期データを送信することを特徴とする。
【００１１】
本発明の方法における他の実施形態によれば、
各観測局から定期的に受信する定期データの、各観測局での送信時刻及びそのときに使用する周波数チャネルについての情報である定期スケジュールを有するデータ収集局が、複数の観測局から１以上の周波数チャネルにより定期データ及び定期データ以外の不定期データを収集する方法であって、データ収集局が、定期スケジュールを各観測局に通知するステップと、データ収集局が、定期スケジュールに基づき、各周波数チャネルの空き時間の情報である空きスケジュールを各観測局に通知するステップと、観測局が、通知された定期スケジュールに基づき定期データを送信するステップとを有し、観測局において不定期データが発生した場合に、観測局は、通知された空きスケジュールに基づき、周波数チャネルの空き時間を使用して不定期データを送信することを特徴とする。
【００１２】
また、本発明の他の実施形態によれば、
データ収集局は、空きスケジュールの通知を、通知の時点で空いている周波数チャネルを指定する空き周波数通知信号の送信により行うことも好ましい。
【００１３】
更に、本発明の他の実施形態によれば、
データ収集局は、観測局を１以上の観測局からなるグループに分け、グループに通知する空きスケジュールを、定期スケジュールから求めた空きスケジュールの全部又は一部に、グループに応じて変更することも好ましい。
【００１４】
更に、本発明の他の実施形態によれば、
データ収集局は、前記定期スケジュールの通知を、定期データ送信時刻毎に、その時刻で定期データを送信する観測局及びその観測局が使用する周波数チャネルを指定する送信周波数割当信号の送信により行うことも好ましい。
【発明の効果】
【００１５】
観測局において不定期に発生する不定期データについては、観測局が定期的にデータ収集局に送信する、観測データ等の定期データ用の周波数チャネルの空き時間を利用して送信することで、システムで確保すべき周波数チャネル数を抑制することができる。
【００１６】
定期データの送信に使用する周波数チャネルとその時刻についての情報である定期スケジュールを通知することで、観測局は周波数チャネルの空き時間を認識でき、更に、観測局は、１以上ある周波数チャネルの、１以上ある空き時間から、不定期データの送信に使用する周波数チャネルと時間が決定できるため、送信する不定期データの衝突確率を減少させることができる。
【００１７】
また、データ収集局が空きスケジュールを通知することで、観測局における空きスケジュールの算出は不要となり、更に、観測局を１つ以上のグループに分け、グループに応じて通知する空きスケジュールを変えることで、不定期データの衝突確率を減少させることができる。
【００１８】
データ収集局が、定期スケジュール又は空きスケジュールをその都度通知することで、観測局におけるスケジュールの保存のためのメモリ量を減らすことができる。
【発明を実施するための最良の形態】
【００１９】
本発明を実施するための最良の実施形態について、以下では図面を用いて詳細に説明する。
【００２０】
図１は、データ収集局１と、複数の観測局２−１〜２−Ｎとにより構成されるデータ収集システムの構成図である。各観測局は、データ収集を行い、収集したデータについては、定期的にデータ収集局１に送信する。また、各観測局では、観測データのように定期的にデータ収集局１に送信する定期データ以外に、その発生が不定期である、異常を示すデータのような、不定期データが発生する。
【００２１】
データ収集局１は、各観測局の局条件、即ち、各観測局での定期データの所要伝送時間、データ取得間隔及び許容伝送遅延時間に基づき、以後、定期スケジュールと呼ぶ、各観測局の定期データ送信時刻及びそのときに使用する周波数チャネルを、例えば、オペレーションズリサーチ法等を用いて決定する。
【００２２】
データ収集局１における、定期スケジュールの決定においては、システム全体で使用する周波数チャネルの数を出来るだけ少なくするように決定する方法と、システム全体でデータ送信がなされていない時間をできるだけ長くするように決定する方法とがある。以下では、システム全体で使用する周波数チャネルの数を出来るだけ少なくするように決定する場合を例にして説明を行うが、システム全体でデータ送信がなされていない時間をできるだけ長くするように決定する場合にも、本発明は適用可能である。
【００２３】
図２は、データ収集局１が、システム全体で使用する周波数チャネルの数を出来るだけ少なくするように、定期スケジュールを決定した場合における、定期データの収集に使用する周波数チャネルと時刻の関係を示す図である。定期データ収集に使用する周波数チャネルは、時間と共に変化し、使用する周波数チャネル数の最大値が、事前に確保されるべき周波数チャネル数となる。このとき本発明では、使用されていない、つまり空き時間のある周波数チャネルを、緊急データ等の不定期データの伝送に利用する。これにより、システムが使用する周波数チャネル数の増大を抑える。
【００２４】
図３は、各実施形態の説明において使用する定期スケジュールと、発生する不定期データを示す図である。図３によると、データ収集局１は、観測局２−１より時刻Ｔ１において周波数チャネルｆ１で定期データを収集し、観測局２−２より時刻Ｔ１において周波数チャネルｆ２で、時刻Ｔ２において周波数チャネルｆ１で、定期データを収集し、観測局２−Ｎより時刻Ｔ２において周波数チャネルｆ２で定期データを収集する。また、時刻ＴＡ（ＴＡ＜Ｔ１）において、観測局２−Ｎで不定期データが発生し、時刻ＴＢ（Ｔ１＜ＴＢ＜Ｔ２）において、観測局２−１で不定期データが発生したものとする。尚、本システムにおいては、ｆ１からｆ３の３つの周波数チャネルが確保されている。
【００２５】
（第１実施形態）  図４は、本発明の第１実施形態によるデータ収集のシーケンス図である。図４において、各観測局からデータ収集局１方向での実線は不定期データを、点線は定期データを示している。前記表記方法は、以後の各実施形態のシーケンス図についても同様である。
【００２６】
本実施形態において、データ収集局１は、定期データの収集を行う時刻毎に、その時刻で定期データを送信する観測局と、その観測局が定期データの送信に使用する周波数チャネルを指定する送信周波数割当信号を各観測局に送信する。本説明例では、データ収集局１は、観測局２−１に周波数チャネルｆ１を、観測局２−２に周波数チャネルｆ２を指定する送信周波数割当信号を時刻Ｔ１に送信する。一方、観測局２−Ｎにおいて、時刻ＴＡ（ＴＡ＜Ｔ１）に不定期データが発生しているが、観測局２−Ｎは、時刻Ｔ１における送信周波数割当信号から、周波数チャネルｆ３の空きを判断することができ、よって、周波数チャネルｆ３を使用して不定期データを送信する。
【００２７】
同様に、データ収集局１は、観測局２−２に周波数チャネルｆ１を、観測局２−Ｎに周波数チャネルｆ２を指定する送信周波数割当信号を時刻Ｔ２に送信する。一方、観測局２−１において、時刻ＴＢ（Ｔ１＜ＴＢ＜Ｔ２）に不定期データが発生しているが、観測局２−１は、時刻Ｔ２における送信周波数割当信号から、周波数チャネルｆ３の空きを判断することができ、よって、周波数チャネルｆ３を使用して不定期データを送信する。
【００２８】
尚、空き周波数チャネルが複数ある場合は、任意の１つの周波数チャネルを選択する、又は観測局の優先度により空き周波数チャネルの割当て数を変えて、その中から選択する等の方法により周波数チャネルを１つ選択する。
【００２９】
本実施形態では、データ収集局１が、送信周波数割当信号により、定期スケジュールを定期データの送信時刻毎に各観測局に通知し、各観測局は、送信周波数割当信号に基づき定期データの送信を行うと共に、不定期データの送信に使用可能な空き周波数チャネルの判断を行う。このため、データ収集局１が空き周波数チャネルを各観測局に通知することが不要であり、各観測局は定期スケジュールを記憶する必要がなく、送信周波数割当信号の送信間隔で不定期データの送信が可能という特徴がある。
【００３０】
図５は、本発明の第１実施形態によるデータ収集局１及び観測局２のブロック図である。尚、観測局２は、観測局２−１〜２−Ｎと同じものである。
【００３１】
図５によると、データ収集局１は、送受信部１１と、回線設定部１２と、収集データ蓄積部１３と、局条件データベース部１４と、タイマ部１５とを備える。
【００３２】
局条件データベース部１４は、各観測局からの局条件を保存しているデータベースであり、回線設定部１２は、局条件データベース部１４が保存している局条件に基づき、各観測局のデータ送信時刻及び送信周波数チャネルについての情報、即ち定期スケジュールを決定して保存している。また、タイマ部１５からの時刻情報に基づき、各観測局に送信周波数割当信号を送受信部１１経由で送信する。各観測局から収集するデータは、収集データ蓄積部１３に蓄積される。
【００３３】
また、図５によると、観測局２は、送受信部２１と、回線設定部２２と、観測部２３と、スケジュール蓄積部２４とを備える。
【００３４】
スケジュール蓄積部２４は、送信周波数割当信号で通知された周波数チャネルについての情報を保存し、観測部２３は、観測データを保存し、回線設定部２２は、スケジュール蓄積部２４が保存している自局が使用する周波数チャネルについての情報に基づき、観測データの送信を行う。また、不定期データが発生した場合は、スケジュール蓄積部２４が保存している周波数チャネルについての情報に基づき、現時点で使用されていない周波数チャネルの判断を行い、使用されていない周波数チャネルを使用して不定期データを送信する。
【００３５】
（第２実施形態）  図６は、本発明の第２実施形態によるデータ収集のシーケンス図である。本実施形態において、データ収集局１は、あらかじめ各観測局に対して、定期データの送信時刻及びそのときに使用する周波数チャネルについての情報、つまり定期スケジュールそのものを、送信周波数・時刻割当信号により通知しておく。各観測局は、以後、通知された定期スケジュールに従い、即ち、通知された送信時刻に、通知された周波数チャネルを使用して定期データを送信する。従って、本説明例では、時刻Ｔ１において観測局２−１が周波数チャネルｆ１を、観測局２−２が周波数チャネルｆ２を使用し、時刻Ｔ２において観測局２−２が周波数チャネルｆ１を、観測局２−Ｎが周波数チャネルｆ２を使用することを通知する送信周波数・時刻割当信号を、データ収集局１は、あらかじめ各観測局に送信しておく。
【００３６】
観測局２−Ｎには、時刻ＴＡ（ＴＡ＜Ｔ１）に不定期データが発生しているが、観測局２−Ｎは、事前に送信周波数・時刻割当信号により通知されている定期スケジュールから、時刻Ｔ１からＴ２間の周波数チャネルｆ３の空きが判断でき、よって、周波数チャネルｆ３を使用して不定期データを送信する。
【００３７】
同様に、観測局２−１には、時刻ＴＢ（Ｔ１＜ＴＢ＜Ｔ２）に不定期データが発生しているが、観測局２−１は、事前に送信周波数・時刻割当情報により通知されている定期スケジュールから、周波数チャネルｆ３の空きが判断でき、よって、周波数チャネルｆ３を使用して不定期データを送信する。尚、不定期データがその内容から緊急に送信する必要のないものである場合は、周波数チャネルの他の空き時間を使用して送信することもできる。
【００３８】
本実施形態では、あらかじめ定期スケジュールの総てを各観測局に通知している。このため、データ収集局１は、データ送信時刻毎に、スケジュールを各観測局に通知する必要はなく、観測局は、不定期データの発生時に空き周波数チャネルがあれば直ちにデータ送信が可能である。また、定期スケジュールに基づき各観測局は、各周波数チャネルの空き時間を判断できるため、不定期データの送信に使用する周波数チャネルと時間帯の組合せの、選択の自由度が高く、第１実施形態と比較して、不定期データ間での衝突の確率を低くすることができるという特徴がある。
【００３９】
図７は、本発明の第２実施形態によるデータ収集局１及び観測局２のブロック図である。図７によると、データ収集局１は、送受信部１１と、回線設定部１２と、収集データ蓄積部１３と、局条件データベース部１４とを備え、回線設定部１２は、局条件データベース部１４が保存している局条件に基づき、定期スケジュールを決定して保存している。また、決定した定期スケジュールを各観測局に通知する。その他の機能ブロックは、第１実施形態と同じであり説明は省略する。
【００４０】
また、図７によると、観測局２は、送受信部２１と、回線設定部２２と、観測部２３と、スケジュール蓄積部２４と、タイマ部２５とを備える。
【００４１】
スケジュール蓄積部２４は、データ収集局１から受信した定期スケジュールを保存し、回線設定部２２は、スケジュール蓄積部２４が保存している定期スケジュールに基づき、観測部２３が保存している観測データの送信を行うと共に、不定期データがある場合は、定期スケジュールから各周波数チャネルの空き時間を判断し、周波数チャネルの空き時間を使用して不定期データの送信を行う。
【００４２】
（第３実施形態）  図８は、本発明の第３実施形態によるデータ収集のシーケンス図である。本実施形態において、データ収集局１は、空き周波数チャネルを通知するため、空き周波数通知信号を各観測局に随時送信する。図８においては、時刻Ｔ１及び時刻Ｔ２に送信している。尚、データ収集局１は、第２実施形態と同様に、あらかじめ各観測局に対して、定期スケジュールの総てを送信周波数・時刻割当信号により通知するものとして説明を行うが、第１実施形態と同様に、定期データ収集時刻毎に、使用周波数チャネルを各観測局に通知する構成とすることも可能である。
【００４３】
観測局２−Ｎには、時刻ＴＡ（ＴＡ＜Ｔ１）に不定期データが発生しており、時刻Ｔ１における空き周波数通知信号に基づき、周波数チャネルｆ３を使用して不定期データを送信する。同様に、観測局２−１には、時刻ＴＢ（Ｔ１＜ＴＢ＜Ｔ２）に不定期データが発生しており、時刻Ｔ２における空き周波数通知信号に基づき、周波数チャネルｆ３を使用して不定期データを送信する。
【００４４】
本実施形態では、その時点で空いている周波数チャネルが空き周波数通知信号により、各観測局に随時通知されるため、各観測局における空き周波数チャネルの判定が不要となり、空き周波数通知信号の送信間隔で不定期データの送信が可能であるという特徴がある。
【００４５】
図９は、本発明の第３実施形態によるデータ収集局１及び観測局２のブロック図である。図９によると、データ収集局１は、送受信部１１と、回線設定部１２と、収集データ蓄積部１３と、局条件データベース部１４と、タイマ部１５とを備える。回線設定部１２は、定期スケジュールの決定、保存及び各観測局への通知に加え、定期スケジュールから各周波数チャネルの空き時間についての情報である空きスケジュールを生成し、タイマ部１５から通知される送信タイミングで、その時点における空き周波数チャネルを指定する空き周波数通知信号を各観測局へ送信する。その他の機能ブロックは、第２実施形態と同じであり説明は省略する。尚、図９のブロック図は、後述する第４実施形態及び第５実施形態のブロック図でもある。
【００４６】
また、図９によると、観測局２は、送受信部２１と、回線設定部２２と、観測部２３と、スケジュール蓄積部２４と、タイマ部２５とを備える。
【００４７】
スケジュール蓄積部２４は、定期スケジュールと、空き周波数通知信号で通知された空き周波数チャネルについての情報を保存し、回線設定部２２は、定期スケジュールに従い観測部２３が保存している観測データの送信を行うと共に、不定期データが発生した場合には、保存している空き周波数チャネルについての情報に基づき、空き周波数チャネルを使用して不定期データを送信する。
【００４８】
（第４実施形態）  図１０は、本発明の第４実施形態によるデータ収集のシーケンス図である。本実施形態において、データ収集局１は、あらかじめ、空きスケジュールを、空き周波数・時間通知信号により各観測局に通知しておく。
【００４９】
観測局２−Ｎは、事前に通知されている空きスケジュールに基づき、時刻ＴＡで発生した不定期データを、周波数チャネルｆ３を使用して送信し、同様に、観測局２−１は、時刻ＴＢに発生した不定期データを、周波数チャネルｆ３を使用して送信する。
【００５０】
本実施形態では、事前に空きスケジュールが通知されるため、各観測局における空き周波数チャネルの判定が不要となり、不定期データの発生時に空いている周波数チャネルがあれば直ちに不定期データの送信が可能であり、不定期データの送信に使用する周波数チャネルと時間帯の組み合わせの選択の自由度が高く、第３実施形態と比較して送信する不定期データの衝突確率を低くすることができるという特徴がある。
【００５１】
図９に示す本実施形態のブロック図において、データ収集局１の回線設定部１２は、定期スケジュールに加え、空きスケジュールも、事前に各観測局に通知する。その他の機能ブロックは、第３実施形態と同じであり説明は省略する。
【００５２】
また、観測局２のスケジュール蓄積部２４は、定期スケジュール及び空きスケジュールを保存し、回線設定部２２は、定期スケジュールに従い観測部２３が保存している観測データの送信を行うと共に、不定期データが発生した場合には、空きスケジュールに基づき、周波数チャネルの空き時間を使用して不定期データの送信を行う。
【００５３】
（第５実施形態）  図１１は、本発明の第５実施形態によるデータ収集のシーケンス図である。本実施形態において、データ収集局１は、空きスケジュールから、全部又は一部の周波数チャネルについての、全部又は一部の空き時間情報を切り出して、観測局に応じて通知する空きスケジュールを変更する。図１１においては、観測局を単位として割当てを行っているが、観測局をグループ化して、グループ毎に割当てを行っても良い。
【００５４】
図１１に示す様に、本説明例では周波数チャネルｆ３のみが空きであるため、空きスケジュールとして、周波数チャネルｆ３を順に通知し、観測局２−Ｎは、時刻ＴＡで発生した不定期データを周波数チャネルｆ３により送信し、同様に、観測局２−１は、時刻ＴＢに発生した不定期データを周波数チャネルｆ３により送信する。
【００５５】
本実施形態では、観測局毎又は観測局のグループに応じて、通知する空きスケジュールを、全空きスケジュールの全部又は一部に変更する。従って、観測局毎に重複しない空きスケジュールを通知する場合には、不定期データの衝突は生じず、観測局のグループ毎に通知する場合にも、不定期データの発生の性質を考慮して分割した空きスケジュールを通知することにより衝突確率を低く抑えることができるという特徴がある。
【００５６】
図９に示す本実施形態のブロックにおいて、データ収集局１の回線設定部１２は、定期スケジュールの各観測局への通知に加え、空きスケジュール全体から、観測局又は観測局のグループに応じて通知する部分を決定して、当該観測局又は観測局のグループに送信する。その他の機能ブロックは、第３実施形態と同じであり説明は省略する。
【図面の簡単な説明】
【００５７】
【図１】データ収集システムの構成図である。
【図２】定期データの収集に使用する周波数チャネルと時刻の関係を示す図である。
【図３】各実施形態の説明において使用する定期データの収集スケジュールと、発生する不定期データを示す図である。
【図４】本発明の第１実施形態によるデータ収集のシーケンス図である。
【図５】本発明の第１実施形態によるデータ収集局及び観測局のブロック図である。
【図６】本発明の第２実施形態によるデータ収集のシーケンス図である。
【図７】本発明の第２実施形態によるデータ収集局及び観測局のブロック図である。
【図８】本発明の第３実施形態によるデータ収集のシーケンス図である。
【図９】本発明の第３〜５実施形態によるデータ収集局及び観測局のブロック図である。
【図１０】本発明の第４実施形態によるデータ収集のシーケンス図である。
【図１１】本発明の第５実施形態によるデータ収集のシーケンス図である。
【符号の説明】
【００５８】
１  データ収集局
１１  送受信部
１２  回線設定部
１３  収集データ蓄積部
１４  局条件データベース部
１５  タイマ部
２、２−１、２−２、２−Ｎ  観測局
２１  送受信部
２２  回線設定部
２３  観測部
２４  スケジュール蓄積部
２５  タイマ部
【図１】
0004539460.tif 000002
【図２】
0004539460.tif 000003
【図３】
0004539460.tif 000004
【図４】
0004539460.tif 000005
【図５】
0004539460.tif 000006
【図６】
0004539460.tif 000007
【図７】
0004539460.tif 000008
【図８】
0004539460.tif 000009
【図９】
0004539460.tif 000010
【図１０】
0004539460.tif 000011
【図１１】
0004539460.tif 000012